(57)【要約】      （修正有）【課題】電気をエネルギーとし、低温輻射方式で低パワー、自由空間での熱供給を実現し、電熱転換率99%以上、恒温、調整可能、個室制御可能、架空で湿気防止、配線しやすく使い心地のよい床板の製造。【解決手段】面板層１１、カーボン繊維遠赤外線発熱層１３及び荷重受け構造層１８が設置され、カーボン繊維遠赤外線発熱層に最低1対の電極４が接続され、電極に外へ引き出す電源回線接続端子７が接続されることを特徴とする。床板は最低1枚の床板ブロックを含み、各床板ブロックは縦横して接続棚に置かれている。同床板は遠赤外線保健、室内暖房と地面装飾を一体に集め、電気をエネルギーとし、低温輻射方式で低パワー、自由空間での熱供給を実現し、電熱転換率は99%以上で、恒温、調整可能、個室制御、架空で湿気防止、配線及び取り付けが簡単で、使い心地がよく、保健、安全、省エネ、環境にやさしいという長所がある。【選択図】図３
2008190859.tif 000002
【特許請求の範囲】
【請求項１】
一種の赤外線電熱架空発熱床板で、前記の床板（1）の中に上から下へと、面板層（11）、カーボン繊維遠赤外線発熱層（13）及び荷重受け構造層（18）が設置され、カーボン繊維遠赤外線発熱層に最低1対の電極（4）が接続してあり、電極の上に外へ引き出す電源回線接続端子（7）が接続してあるという特徴を持っている。
【請求項２】
請求項1により記載されている床板の特徴とし、前記の荷重受け構造層が硫酸カルシウム板か木造繊維板、或いは二者の複合板である。
【請求項３】
請求項1或いは2により記載されている床板の特徴とし、前記の床板の荷重受け構造層と発熱層の間に保温支持構造層（16）が設置され、保温支持構造層は接続層（17）を通じ、荷重受け構造層に固定されていることと、前記の電極（4）は前記の発熱層の保温支持構造層の側に設置されている。
【請求項４】
請求項3により記載されている床板の特徴とし、前記発熱層と保温支持構造層の間に遠赤外線反射層（15）が設置されている。  
【請求項５】
請求項1により、前記面板層が防火面板或いは木板で、接着層（12）でカーボン繊維遠赤外線発熱層に固定されていることを特徴とする床板。
【請求項６】
請求項1により、前記荷重受け構造層の底面に底面保護層（19）が設置されていることを特徴とする床板。
【請求項７】
請求項6により、前記床板の周りにガスケット（5）が設置され、前記面板層、ガスケット及び底面保護層は静電気防止材料で作られていることを特徴とする床板。
【請求項８】
請求項1により、前記電源回線接続端子は外付け温度調整制御装置（6）と外付け電源を通じ、接続されていることと、前記床板にコンセント（3）が設置されていることを特徴とする床板。
【請求項９】
前記床板に最低1枚の前記床板（1）が含まれていることと、各床板を縦横に接続棚（2）の上に取り付けられていることを特徴とする、請求項1、2、5、6、7、8、9のいずれかの床板で組合せた赤外線電熱架空発熱床板。
【請求項１０】
請求項９により、前記棚（2）は水平して接続された横フレーム（8）、縦フレーム（9）及び支持高さの調整可能な支持ベース（10）からなることを特徴とする床板。
【請求項１１】
請求項1により、前記電源回線接続端子（7）は2対並列接続され、それぞれ電源回線の引き込み接続端子（71）、電源回線の引き出し接続端子（72）とされることを特徴する床板。
【請求項１２】
請求項９により、前記床板（1）は前記電源回線の引き込み接続端子（71）と電源回線引き出し接続端子（71）を通し、相互に並列接続されることを特徴とする床板。
【発明の詳細な説明】
【技術分野】
【０００１】
この発明は建築暖房設計及び床板材料分野に関係する。  一種の電熱床板ブロック及び床板ブロックでできた床板。特に赤外線電熱架空発熱床板、及び組合せ、つき合せでできた分解しやすい組合せ式赤外線電熱架空発熱床板。
【背景技術】
【０００２】
伝統的な暖房装置において、例えば、原始的な石炭炉、わりと近代的な石炭ボイラ、燃油ボイラ、ガスボイラ或いは電気暖房器、エアコンなどの装置である。
【０００３】
石炭炉、ボイラは、構造が複雑で、体積が大きく、集中して連続熱供給装置で、ユーザーが温度制御しにくく、エネルギー消費が高く、環境に悪いと言う欠点があることがよく知られている。
【０００４】
エアコンと電気暖房器の場合、ユーザーは温度制御しやすいが、熱効率が低く、電気消費が多く、熱供給面積が小さく、貴重な室内空間が多くかかる。空中で空気の対流で熱を供給するので、人間は気持ち悪く感じる。
【０００５】
赤外線は人体の深層細胞を適度に共振させ、体を暖め、血液循環を改善し、新陳代謝を促進し、神経と内分泌を調整し、人体の免疫功能を向上させ、保健や快復という役割を果たすことができ、現代医学で重視されている。
【０００６】
足は人間の重要な一部分で、足が寒く感じると体全身が寒く感じる。  中国特許ZL01248023.1で珪酸カルシウムセメント赤外線電熱床板が公開された。同床板は珪酸カルシウムセメント保護板、カーボン繊維赤外線加熱部品からなっており、カーボン繊維遠赤外線加熱部品は珪酸カルシウム保護板の中に埋設されている。このような床板は一種の電熱装置で、温度制御しやすく、比較的に省エネで、燃料を必要とせず、環境によく、空間があまりかからなく、人の足底や室内へともに熱を供給することができるという長所があるが、欠点としては、1、同床板及び電気回線の敷設はまとめて一体成形で、施工が難しく、効率が低い。一旦損壊されると、メンテナンスしにくく、メンテナンスコストが高い上に、漏電が発生しやすい。2、カーボン繊維加熱部品が珪酸カルシウムセメント保護板の下に埋設されているから、充分に活用できず、赤外線の浸透力にひどく影響し、赤外熱輻射が減衰し、保健作用にならない。3、床板全体に通電されており、熱供給の需要で柔軟に局部通電制御できず、不必要な熱損失が発生し、省エネ効果が影響される。4、同床板は一旦故障すると、全体を取り壊されなければならず、使用コストが高く、環境に悪い。5、同床板は製品として消費者に供給できず、表面がセメント保護板で、別に底面飾り層をつける必要があり、床板の厚さも増し、ユーザーの負担も高くなる。6、同床板は熱輻射が減衰し、熱伝導が遅い為、温度上昇が遅く、熱効率が悪く、効果が悪い、などがあげられる。
【発明の開示】
【発明が解決しようとする課題】
【０００７】
この発明の任務として、前期の従来技術の欠点を克服し、環境によく、省エネで、空間があまりかからなく、保全しやすく、敷設しやすく、コストが安く、性能が安全で信頼性があり、赤外理療保健効果がよく、自由に全体・局所の温度制御でき、温度上昇が速く、使い心地がよい新型の赤外線電熱架空発熱床板及び組合せ床板を提供することである。
【０００８】
この発明の技術手段として：
前記の床板の中に上から下へと、面板層、カーボン繊維遠赤外線発熱層及び荷重受け構造層が設置され、カーボン繊維遠赤外線発熱層に最低1対の電極が接続してあり、電極の上に外へ引き出す電源回線接続端子が接続してあるということを特徴とする一種の赤外線電熱架空発熱床板である。
【０００９】
前記荷重受け構造層は硫酸カルシウム板か木造繊維板或いは両者の複合板である。
【００１０】
前記床板の荷重受け構造層と発熱層の間に保温支持構造層が設置され、保温支持構造層は接続層で荷重受け構造層に固定され、前記電極は前記発熱層の保温支持構造層の側に設置されている。
【００１１】
前記面板層は防火飾り面板か木板で、接着層でカーボン繊維遠赤外線発熱層の上に固定されている。
【００１２】
前記床板の周りにガスケットが設置され、前記面板層、ガスケット及び底面保護層は静電気防止材料で作られている。
【発明の効果】
【００１３】
前記床板の組合せでできた赤外線電熱架空発熱床板は、最低1枚の前記床板ブロックを含み、各床板は縦横して接続棚に取り付けられる。前記の手段で分かるように、この発明の赤外線電熱架空発熱床板は体積がレンガのように小さく、量産できる商品で、床に棚で、床板を架け渡し、つき合せてこの発明の赤外線電熱架空発熱床板ができるのである。この発明は、遠赤外線保健、室内暖房、地面飾りという功能を一体に集め、電気をエネルギーとし、低温輻射方式で低パワー、自由空間での熱供給を実現し、電熱転換率が99%以上に達し、恒温、調整可能、個室制御可能、架空で湿気防止、配線しやすい、使い心地がよい、保健、安全、省エネ、環境によい、などの長所がある。
【００１４】
この発明の効果は具体的に下記の通り：
1、気持ちよい熱供給
この発明の床板は低温輻射方式で、低パワー、大面積の熱供給を実現する。単純に空気を加熱する方式をやめ、対流の熱供給で起こる乾燥とほこりを避けられる。熱は床から上へ輻射発散し、足底と人体に伝わり、気持ちよく感じる。低温輻射の熱供給方式では、人体と室内の物体はまず熱を吸収して温度が上がり、その後、これらの物体から熱が輻射され、室内の温度が均一的に上昇する。こういう環境では、人体の体感温度が空気の温度より高く、日差しのような暖かさを享受することができる。尚、部屋ごとに独立した温度制御器が付けられ、必要に応じて室内温度を調整でき、ユーザーの個性化需要に応えられる。
【００１５】
2、健康的な熱供給
通電状態でこの発明の床板は波長が6〜16μmの遠赤外線光波を出し、人体の深層細胞に適度に共振させる。こういう環境に長くいると、人体の微循環が改善され、新陳代謝を促進し、細胞の活力が増強され、神経と内分泌システムがよく調整され、血液循環の改善、人体の免疫力の向上などの効果がある。
【００１６】
3、安全的熱供給
この発明の床板は絶縁性能のよい材料が使われ、床板の表面と体積抵抗値が1MΩ以上で、絶縁破壊強度が500Vで、非常に安全で、使用中、たとえ漏電等が起こっても、感電する危険はない。
【００１７】
4、環境にやさしい熱供給
この発明の床板は動作状態で音がしない。電気という清潔なエネルギーが使われ、ボイラーの石炭、ガスで起こるような大気汚染が出ない。電子の相互衝撃と摩擦で発熱し、この過程では強い光、電磁などのような汚染が起こらない。
【００１８】
5、経済的で省エネ
この発明の床板は電熱転換率が99%以上で、発熱材料が床板の表層に近く、熱は充分に部屋に発散できる。建設部「民用建徳省エネ設計標準」JGJ26−95規定に合う民用建築に対し、この床板の平均電気消費は15W〜25W/m2（建築面積）である。知能温度制御器で、この床板は必要に応じ、時間別に、部屋ごとに、熱供給をオン/オフできる。不必要なところには普通の架空組合せ床板を敷設できる。柔軟で便利な制御で運転コストを大幅に削減することができる。
【００１９】
6、簡単な取り付け
この発明の床板は取り付けが簡単で速い。発熱物質と床板は一体となっているので、1回の施工で暖房と装飾が出来上がり、発熱源と床材料の別々の施工が避けられる。電気回線の接続以外は普通の架空組合せ床板の取り付けとほぼ同じである。
【００２０】
7、熱起動が速い
通電後2〜3分間でこの発明の床板は発熱し始め、熱が迅速に部屋へ輻射発散する。特に寒い時、室外から室内に入った時、長時間待つ必要がなく、すぐに暖かさが感じられる。
【００２１】
8、空間が余りかからず、建築コストが安い
この発明の床板は暖房と装飾を一体に集め、今までの熱供給に必要な暖房パイプとラジエーターが要らなくなり、部屋の有効使用面積が増え、部屋は内装しやすくなり、内装費用も安くなると同時に、ボイラー、パイプラインなどの暖房施設の投資が要らない上に、部屋の高さが5〜6CM低くてすみ、建築コストが安くなる。
【発明を実施するための最良の形態】
【００２２】
次に、附図に合わせ、この発明について詳しく説明する：
【００２３】
実施例1：
一種の赤外線電熱架空発熱床板は、図1、2の通り、数十枚の赤外線電熱架空発熱床板ブロック1を含み、各床板ブロックは縦横して接続棚2に置かれている。棚2は水平接続の横フレーム8、縦フレーム9及び支持高さの調整できる支持ベース10からなる。
【００２４】
前記赤外線電熱架空発熱床板は図2、3の通り、上から下へと、面板層11、カーボン繊維遠赤外線発熱層13、荷重受け構造層18及び電源回線接続端子7などの部分からなる。
【００２５】
面板層11は防火木デザイン面板或いは木板で、接着層12でカーボン遠赤外線発熱層に固定されている。面板層11に複合絨毯をつけてもいい。ユーザーにとって選択肢が一つ増える。荷重受け構造層18は硫酸カルシウム板か木造繊維板で作られ、或いは二種の二層合わせ板で作られてもいい。
【００２６】
電源回線接続端子7は床板の底面に固定される。電極4は発熱層の保温支持構造層の側に設置され、1対か複数対で、2対のほうがいい。電源回線接続端子は電極を通し、下へ床板ブロック1を引き出し、外付けの温度調整制御装置6を通じ、外付け電源に接続される。温度調整制御装置はよく知られている各種の温度制御器でいい。
【００２７】
図4の通り、電源回線接続端子7は並列接続され、2対とし、それぞれ電源回線引き込み接続端子71と電源回線引き出し接続端子72とする。各床板ブロック1は電源回線引き込み接続端子71と電源回線引き出し接続端子71を通じ、並列接続を簡単に実現でき、取り付け・保全がしやすいというよさがある。
【００２８】
ユーザーの便宜を図るために、床板にコンセント3をつけることはいい方法である。机の下にコンセント3を付けると、別途配線しなくていい。直接床板の電源を使いユーザーに便宜を図る。
【００２９】
実施例2：
もう一種の実施方式とし、実施例1をベースに、この発明の床板の荷重受け構造層と発熱層の間に保温支持構造層16が設置され、保温支持構造層は接続層17で荷重受け構造層に固定される。荷重受け構造層の底面に底面保護層19が設置されている。
【００３０】
エネルギーの地面への輻射を減らすために、発熱層と保温支持構造層の間に遠赤外線反射層15が設置されている。
【００３１】
実施例3：
実施例1、2をベースに、この発明の床板の周りにガスケット5をつける。面板層、ガスケット、底面保護層はPVC静電気防止材料で作られる。これで静電気防止赤外線電熱架空床板となる。
【図面の簡単な説明】
【００３２】
【図１】この発明の架空発熱床板の構造見取り図である。
【図２】この発明の架空発熱床板（ガスケット付き）の構造見取り図である。
【図３】この発明の架空発熱床板の局部断面構造図である。
【図４】この発明の架空発熱床板の間の電気並列接続見取り図である。
【図１】
2008190859.tif 000003
【図２】
2008190859.tif 000004
【図３】
2008190859.tif 000005
【図４】
2008190859.tif 000006